(57)【要約】【課題】  カードコネクタ自体の強度を高めて強化を計ると共に、一部を金属板材料として質量の軽減を図って軽量化することができ、カードが斜めに挿入されてこじられても破壊されることが無く、強度を維持することができる。【解決手段】  コネクタ本体と、コネクタ本体に組合せられるカバー部材とによって形成されるカードコネクタにおいて、金属板材料で形成された側縁部材がカード挿入口に設けられている。【選択図】  図１
2005197216.tif 000002
【特許請求の範囲】
【請求項１】
コネクタ本体と、該コネクタ本体に組合せられるカバー部材とによって形成されるカードコネクタにおいて、
金属板材料で形成された側縁部材がカード挿入口に設けられていることを特徴とするカードコネクタ。
【請求項２】
前記側縁部材は、カード挿入口の保護部材であることを特徴とする請求項１記載のカードコネクタ。
【請求項３】
前記側縁部材は、上面部と、その両側の側面部とを有することを特徴とする請求項１記載のカードコネクタ。
【発明の詳細な説明】
【技術分野】
【０００１】
本発明は、携帯電話機、電話機、ＰＤＡ（personal  digital  assistance）、携帯型オーディオ、カメラ等や情報端末機器等の電子機器のカードコネクタに係わるもので、特に、カードを円滑に挿入、抜き出しできるカードコネクタに関するものである。
【背景技術】
【０００２】
近年、携帯電話機、電話機、ＰＤＡ（personal  digital  assistance）、携帯型オーディオ、カメラや、情報端末機器等の電子機器においては、ＣＰＵやメモリ用のＩＣチップと呼ばれるＩＣ部品が組込まれたＩＣカードやＰＣカード、ＳＤカード、ＳＩＭカード等の利用が非常に増大し、ＩＣカードやＰＣカード、ＳＤカードやＳＩＭカード等の小型のメモリカードを挿入するカードコネクタが広く求められている。
【０００３】
従来のこのカードコネクタにおいては、市場要求として高さを低くして低背化と小型化を図り、かつカードの挿入と、抜き出しに必要な十分な強度のカードコネクタが求められており、さらに、挿入されたカードを容易に放出することができること等が求められている。このような要求を達成するために、上面に金属板材料で作られたカバー部材を有し、このような金属板材料のカバー部材を絶縁材料のコネクタ本体に対して組込んで、カードを挿入したり、抜き出すことができるように構成したり、あるいはまた、コネクタ本体とカバー部材とを絶縁性の合成樹脂材料で一体的に成形して作られている。
【０００４】
図６乃至図８に、この従来におけるカードコネクタの一例が示されており、図６は、従来のカードコネクタをカード挿入口側から見た斜視図で、図７は、このカードコネクタを後側から見た斜視図、図８は、下側から見た斜視図である。
【０００５】
図示されるように、従来のカードコネクタ１００は、コネクタ本体１０２と、このコネクタ本体１０２と組合せられて中空のハウジング構造を形成するカバー部材１０３と、カードと電気的に接続する複数個のコンタクト１０４とを有している。
【０００６】
従来のカードコネクタ１００において、コネクタ本体１０２は、適宜選択された合成樹脂材料などの絶縁材料によって成形して作られ、金属板材料のカバー部材１０３と組合せられて中空の偏平なハウジング形状に形成されている。このカードコネクタ１００では、ハウジング形状の一端に開口形状が構成され、この開口形状、すなわち、カード挿入口１０５からカードコネクタ１００内にカードが挿入されるように作られている。このカードコネクタ１００内には、カードコネクタ１００に挿入されたカードの先端部に配列されたパッド部と接続されるように複数個コンタクト１０４が設けられている。
【０００７】
【特許文献１】特開２００２−１３４２２４号公報
【発明の開示】
【発明が解決しようとする課題】
【０００８】
しかしながら、このような従来のカードコネクタ１００において、コネクタ本体１０２と組合せられるカバー部材１０３が、全体的に金属板材料で作られており、しかもカバー部材１０３全体が金属板材料であるために、質量的に重くなり、軽量化することができない。ところで、カバー部材１０３を金属板材料で作らずに、成形樹脂材料によってコネクタ本体１０２と一体的に成形して構成した場合、カード挿入時に斜めにカードが挿入された際に、こじりによって成形樹脂材料部分が破壊される等の問題が顕著に見られた。
【０００９】
従って、本発明の目的は、このような従来における問題点を解決するために、コネクタ本体と、該コネクタ本体に組合せられるカバー部材とによって形成されるカードコネクタにおいて、金属板材料で形成された側縁部材をカード挿入口に設けて、カードコネクタ自体の強度を高めて強化を計ると共に、一部を金属板材料として質量の軽減を図って軽量化することができ、カードが斜めに挿入されてこじられても破壊されることが無く、強度を維持することができるカードコネクタを提供することにある。
【課題を解決するための手段】
【００１０】
上述の目的を達成するために、本発明のカードコネクタは、コネクタ本体と、コネクタ本体に組合せられるカバー部材とによって形成されるカードコネクタにおいて、金属板材料で形成された側縁部材がカード挿入口に設けられていることを特徴とする。
【００１１】
また、本発明のカードコネクタは、側縁部材が、カード挿入口の保護部材であることを特徴とする。
【００１２】
さらに、本発明のカードコネクタは、側縁部材が、上面部と、その両側の側面部とを有することを特徴とする。
【００１３】
本発明のカードコネクタは、側縁部材が、カード挿入口に沿って設けられることを特徴とする。
【発明の効果】
【００１４】
本発明の請求項１記載のカードコネクタは、コネクタ本体と、コネクタ本体に組合せられるカバー部材とによって形成されるカードコネクタにおいて、金属板材料で形成された側縁部材がカード挿入口に設けられているので、カードコネクタ自体の強度を高めて強化を計ると共に、一部を金属板材料としているために質量の軽減を図ることもできて軽量化することができるし、カードが斜めに挿入されてこじられても破壊されることが無く、強度を維持することができる。
【００１５】
本発明の請求項２記載のカードコネクタは、側縁部材が、カード挿入口の保護部材であるので、カードコネクタ自体の強度を高めて強化を計ると共に、一部のみを金属板材料としているために質量の軽減を図ることもできて軽量化することができ、かつカードが斜めに挿入されてこじられても破壊されることが無く、十分な強度を維持することができる。
【００１６】
本発明の請求項３記載のカードコネクタは、側縁部材が、側面部と上面部とを有するので、金属板材料の条片部材から折り曲げて容易に製作することができ、安価に製作することができる。
【発明を実施するための最良の形態】
【００１７】
本発明のカードコネクタは、コネクタ本体と、コネクタ本体に組合せられるカバー部材とによって形成されるカードコネクタにおいて、金属板材料で形成された側縁部材がカード挿入口に設けられている。
【実施例】
【００１８】
図１乃至図５は、本発明のカードコネクタの一実施例を示す図で、図１は、本発明のカードコネクタをカード挿入口側から見た全体の斜視図で、図２は、図１の本発明のカードコネクタを後側から見た斜視図、図３は、図１の本発明のカードコネクタを、カバー部材を下側から見た斜視図で、図４は、図１の本発明のカードコネクタの側縁部材をカード挿入口側から見た斜視図、図５は、その後方側から見た斜視図である。
【００１９】
図１乃至図５に示されるように、カードコネクタ１は、コネクタ本体２と、このコネクタ本体２に組合せられるカバー部材３とによって偏平なハウジング形状に基本構成されている。カードコネクタ１の一方の側は、開放されていてカード挿入口５が形成され、その挿入口５には、側縁部材１０が設けられている。さらにまた、カードコネクタ１の他方の側は、端壁６によって閉鎖されている。この端壁６を貫いてカードと電気的な接続をなす複数個のコンタクト４は、カードコネクタ１の内部に整列して配列している。
【００２０】
このカードコネクタ１においては、コネクタ本体２は、適宜選択された合成樹脂材料などの絶縁材料によって成形して作られ、同様な合成樹脂材料で作られたカバー部材３と組合せられて、中空の偏平なハウジング形状に形成されている。又、カードコネクタ１では、カード(図示しない)がカード挿入口５から挿入、又は抜き出されるように作成されており、カードコネクタ１内に挿入されたカードの先端部に配列されたパッド部と接続されるように複数個のコンタクト４が整列して設けられている。
【００２１】
なお、本実施例において、本発明のカードコネクタ１に用いられているカードは、例えばＳＤカードを使用できるように適用されているが、本発明は何等このようなＳＤカードだけの使用にのみ制限されるものではなく、ＳＤカードの外にも、ＩＣカードやＳＩＭカード等の他の同様なメモリカードでも良好に適用できることは勿論である。
【００２２】
図示の様に、カードコネクタ１は、コネクタ本体２と、カバー部材３と、複数個のコンタクト４と、側縁部材１０とを有しており、例えば情報端末機器等に適用するように構成されている。
【００２３】
また、このカードコネクタ１において、カード挿入口５側には、図４と図５に明示される金属板材料で形成された側縁部材１０がカード挿入口５に設けられている。この側縁部材１０は、カード挿入口５における保護部材として作用するものである。この側縁部材１０は、上面部１１と、この上面部１１の左右に折り曲げて形成された側面部１２、１４とを有しており、カードコネクタ１のカード挿入口５に沿って設けられている。この側縁部材１０は、金属板の細長い条片部材を折曲して形成されており、カード挿入口５に取外し自在に取付けられるように構成されてなる。
【００２４】
さらに、カードコネクタ１における側縁部材１０は、図４および図５に明示されるように、細長い金属の薄板材料の条片部材の両側を折り曲げて作られており、上面部１１と、その左右の側面部１２、１４とから形成されていて端縁部１６、１８が設けられている。
【００２５】
また、上面部１１の左右両端部付近には角形の孔１５、１５が設けられていてカバー部材３の対応する突部が係合されるように形成されており、側面部１２には中程に内側に折り曲げられた折曲部１７が設けられている。さらに、他方の側面部１４には溝状の切欠き１９が設けられていて、カバー部材３の一方の側壁の対応する形状の突部９が係合されている。さらにまた、このような側縁部材１０の折り曲げられた端縁部１６、１８にはそれぞれ小さな孔２０が設けられており、これら孔２０、２０にコネクタ本体２の底部の対応する突部がそれぞれ嵌め込まれて係止されるように形成されている。
【００２６】
なお、このような側縁部材１０の両側の折り曲げられた側面部１２、１４と端縁部１６、１８は、その曲げ剛性によってコネクタ本体２とカバー部材３に係合されて保持されるように形成されており、容易に取付けたり、取外すことができるようになっている。
【００２７】
また、折曲部１７はソケット本体２の対応する窪み部に嵌め込まれて係止されるように形成されている。
【００２８】
上述したように構成された本発明のカードコネクタ１によれば、コネクタ本体２と、このコネクタ本体２に組合せられるカバー部材３とによって中空の偏平なハウジング形状にカードコネクタ１が形成されており、そのカード挿入口５側に保護部材としての側縁部材１０が取外し可能に取付けられているので、カードコネクタ１自体の強度を高めて強化を計ると共に、一部を金属板材料としているために質量の軽減を図ることもできて軽量化することができるし、カードが斜めに挿入されてこじられても破壊されることが無く強度を維持することができる。
【００２９】
このように、本発明のカードコネクタ１においては、コネクタ本体２が捩られるようなことがあっても何等破壊されることが無く、かつ変形が発生するようなことも無い。また、本発明によれば、カードコネクタ１自体を偏平で薄形に製作することができて低背化することが可能であり、携帯電話機のような情報端末機器等に好適に使用することが可能である。
【００３０】
本発明のカードコネクタの実施形態としては、側縁部材が、カード挿入口に沿って設けられていることにより、カードの挿入、抜き出しに対してコネクタ本体のカード挿入口を好適に保護することができる。
【００３１】
また、本発明のカードコネクタの実施形態としては、側縁部材が、金属板の細長い条片部材を折曲して形成され、カード挿入口に取外し自在に取付けられているので、簡単かつ容易に製作できると共に、取外しが容易で、交換を簡単に行うことができる。
【産業上の利用可能性】
【００３２】
本発明のカードコネクタは、携帯電話機、電話機、ＰＤＡ、携帯型オーディオ、カメラ等や情報端末機器等の電子機器に好適に利用できる。
【図面の簡単な説明】
【００３３】
【図１】本発明のカードコネクタをカード挿入口側から見た全体の斜視図である。
【図２】図１の本発明のカードコネクタを後側から見た斜視図である。
【図３】図１の本発明のカードコネクタを、カバー部材を下側から見た斜視図である。
【図４】図１の本発明のカードコネクタの側縁部材をカード挿入口側から見た斜視図である。
【図５】図４のカードコネクタの側縁部材を後方側から見た斜視図である。
【図６】従来におけるカードコネクタをカード挿入口側から見た斜視図である。
【図７】図６の従来のカードコネクタを後側から見た斜視図である。
【図８】図６の従来のカードコネクタを下側から見た斜視図である。
【符号の説明】
【００３４】
１      カードコネクタ
２      コネクタ本体
３      カバー部材
４      コンタクト
５      カード挿入口
６      端壁
１０    側縁部材
１１    上面部
１２    側面部
１４    側面部
１５    孔
１６    端縁部
１７    折曲部
１８    端縁部
１９    切欠き
２０    孔
１００  カードコネクタ
１０２  コネクタ本体
１０３  カバー部材
１０４  コネクタ
１０５  カード挿入口
【図１】
2005197216.tif 000003
【図２】
2005197216.tif 000004
【図３】
2005197216.tif 000005
【図４】
2005197216.tif 000006
【図５】
2005197216.tif 000007
【図６】
2005197216.tif 000008
【図７】
2005197216.tif 000009
【図８】
2005197216.tif 000010